(57)【要約】      （修正有）【課題】就寝時に人体にかかる布団の荷重を軽減する事ができ、かつ収納も容易な掛け布団支持脚体を提供する。【解決手段】頂部を回動自在に連結した２本の半円状支持脚体１の下端部両側に、半円状支持脚体１が開脚する際はストッパーにより直線状に固定でき、閉脚する際は屈曲して折りたためるストッパー付き下端連結間隔固定部材４の両端の装着部を装着し、又、２本の半円状支持脚体の中間部両側に、２本の半円状支持脚体１を開脚する際は開き、閉脚する際は折曲する蝶番部を中心部に設けた蝶番付き中間連結間隔固定部材５の両端部を回動自在に装着した事を特徴とする掛け布団支持脚体である。【選択図】図１
0003152354.tif 000002
【実用新案登録請求の範囲】
【請求項１】
頂部２を回動自在に連結した２本の半円状支持脚体１及び１’の下端部両側に、半円状支持脚体１及び１’を開脚する際はストッパー４３で直線状に固定でき、閉脚する際は屈曲するストッパー付き下端連結間隔固定部材４の両端の装着部４１を装着した事を特徴とする掛け布団支持脚体。
【請求項２】
頂部２を回動自在に連結した２本の半円状支持脚体１及び１’の中間部両側に、半円状支持脚体１及び１’を開脚する際は開き、閉脚する際は折曲する蝶番部５１を中心に設けた蝶番付き中間連結間隔固定部材５の両端部を回動自在に装着した事を特徴とする掛け布団支持脚体。
【考案の詳細な説明】
【技術分野】
【０００１】  本考案は、就寝時に掛け布団を支持して就寝中の掛け布団の荷重を軽減し、人体と掛け布団の間に空気層を形成して、快適な睡眠を促進する掛け布団支持脚体に関する。
【背景技術】
【０００２】  従来、就寝中に人体にかかる掛け布団の荷重を軽減する為に掛け布団を支持するものは、病院等で病人用として使用するもの以外には無く、一般家庭用として安価でしかも取扱いが簡単で、かつ不使用時の収納が便利な掛け布団支持脚体は開発されていない。【０００３】  病院等で手術後の患者などに使用されている従来の掛け布団支持脚体は、図８に例示する通り金属製の管又は棒で構成された半円状の支持体を２本以上並行させた状態で連結して固定した構造である。堅固ではあるが、医療用具で価格も高く、そのままの状態で収納するものである。
【考案の開示】
【考案が解決しょうとする課題】
【０００４】  高齢者や病人や子供でも容易に取扱う事ができるように構造が簡単で軽量であり、不使用時は収納しやすいように折りたたんで扁平状にする事ができ、かつ安価な一般家庭用の掛け布団支持脚体の開発を課題としている。
【課題を解決するための手段】
【０００５】  本考案は、課題を解決するために、頂部を回動連結部材により回動自在に連結して両下端を開閉できる２本の半円状支持脚体の下端部両側に、半円状支持脚体を開脚する際はストッパーで直線状に固定でき、閉脚する際は屈曲するストッパー付き下端連結間隔固定部材を装着する掛け布団支持脚体であり、又、必要に応じて、２本の半円状支持脚体の中間部両側に、半円状支持脚体を開脚する際は開き、閉脚する際は折曲する蝶番部を中心に設けた蝶番付き中間連結間隔固定部材を、補強的に装着、又は下端連結間隔固定部材を単独に装着する掛け布団支持脚体である。
【考案の効果】
【０００６】  本考案は図１及び図２に示す通り、頂部２を被う回動連結部材２を支点として半円状支持脚体１と１’の下端を開脚して固定し、その状態で点線図示の通り敷き布団９の上に載置し、その上に掛け布団８を被せて使用する。就寝する人体は半円状支持脚体１と１’が形成するトンネル状の枠の中に入れる。人体の部位の位置は自由に選定する。
【０００７】  従って、人体にかかる掛け布団の荷重は、支持する半円状支持脚体１と１’により軽減され、半円状支持脚体１と１の位置にある人体の部位には掛け布団の重さは全くかからないし、人体と掛け布団の間に間隙ができて空気層が形成されるので、人体周辺の温度や湿度が安定して安眠し易くなり疲労回復を促進し、就寝中の寝返りは容易になる。
【考案を実施するための最良の形態】
【０００８】  本考案において、２本の半円状支持脚体は強固な金属製の管体また棒体で構成で錆ないように表面加工する事がよく、頂部２を回動自在に連結する回動連結部材２は変形可能な柔軟性があり、内側に締めつける力が作用する樹脂製のチューブが効果、価格からも適する。又、２本の半円状支持脚体の下端両側を連結する下端連結間隔固定部材４は、半円状支持脚体が閉脚する際は円滑に折曲し、かつ、開脚する際は直線状に固定するストッパー〜部を設ける。【０００９】  又、２本の下端連結間隔固定部材の他に、２本の半円状支持部材の中間部両側に中央部に開閉自在な蝶番を設けたストッパー付き中間連結間隔固定部材を装着して、連結補強と間隔保持を兼ねても、あるいは下端連結間隔固定部材４を省略してもよい。
【実施例】
【００１０】  図１から図７に示す実施例について説明する。図１及び図２は、本考案に係る掛け布団支持脚体の正面図及び開脚状態の側面図を示し、２本の半円状支持脚体１及び１’の頂部２を、回動連結部材３により回動自在に連結する。布団支持脚体１及び１’は図３及び図４に拡大図示するように回動連結部材３で被われ、強固に連結すると共に回動して自由に開脚又は閉脚できる。【００１１】  半円状支持脚体１及び１’の下端部の４個所には敷き布団の損傷を防止する為に、それぞれ端末緩衝部材６を装着する。端末緩衝部材６の上部位置の両側には、それぞれ下端連結間隔固定部材４を装着する。この下端連結間隔固定部材４は図５の屈曲状態の拡大斜視図に示す通り両端の装着部４１を半円状支持脚体１及び１’に装着し、一方の装着部４１には、先端が間隙をあけて屈曲するストッパー部４３に構成されたストッパー付き間隔支持部材４２の他端を回動自在に装着する。他方の装着部４１には、先端がストッパー付き間隔支持部材４２のストッパー部４３に嵌入し、ボルト４５とナット４６により回動自在に連結された間隔支持部材４４の一端を回動自在に装着する。【００１２】  従って  下端連結間隔固定部材４は、半円状支持部材１が１’が開脚すると、ストッパー部４３が間隔支持部材４４の先端側を嵌入してストッパー付き間隔支持部材４２は停止し、図２に示す通り間隔支持部材４３と直線状になって固定され、半円状支持部材１及び１’は所定の間隔が保持される。又、閉脚すると、ボルト４５を支軸としてストッパー付き間隔支持部材４２と間隔支持部材４３の連結部分は図５に例示する通り上方に移動して図６に示す通り屈曲し、扁平状となり、運搬や収納する際には至便となる。【００１３】  本考案は、前記の通り下端連結間隔固定部材４の他に、半円状支持部材１及び１’の中間部にも連結と間隔保持と補強を兼ねる部材を装着してもよい。又、強度に応じては中間部の連結間隔固定だけとして、下端連結間隔固定部材４を省略する事もできる。【００１４】  図７は半円状支持脚体１及び１’の両側の中間部にそれぞれ装着する蝶番付き中間連結間隔固定部材５の実施例の斜視図を示す。図において、斜め筒状の両側部は半円状支持脚体１及び１’の頂部２位置の下方の両中間部にそれぞれ回動自在に装着する。半円状支持脚体１と１’が開脚した時、中央部の蝶番５１を支軸として図７に示す通り設定角度まで開く。又、閉脚した時には中央部の蝶番５１が移動して閉じ、半円状支持脚体１及び１’は折りたたむ事ができる。
【図面の簡単な説明】
【００１５】
【図１】  本考案の実施例の正面図である。
【図２】  図１に示す実施例の開脚状態の側面図である。
【図３】  掛け布団支持脚体の頂部の回動連結部材の拡大正面図である。
【図４】  図３に示す回動連結部材の拡大縦断面図である。
【図５】  掛け布団支持脚体の下端連結間隔固定部材の屈曲状態拡大斜視図である。
【図６】  図１に示す実施例の閉脚状態の側面図である。
【図７】  掛け布団支持脚体の中間連結間隔固定部材の拡大斜視図である。
【図８】  従来の医療用掛け布団支持脚体の斜視図である。
【符号の説明】
【００１６】１  １’半円状支持脚体
２    頂部
３    回動連結部材
４    下端連結間隔固定部材
４１  装着部
４２  ストッパー付き間隔支持部材
４３  ストッパー部
４４  間隔支持部材
４５  ボルト
４６  ナット
５    蝶番付き中間連結間隔固定部材
５１  蝶番
６    端末緩衝部材
７    従来の掛け布団支持脚体
８    掛け布団
９    敷き布団
【図１】
0003152354.tif 000003
【図２】
0003152354.tif 000004
【図３】
0003152354.tif 000005
【図４】
0003152354.tif 000006
【図５】
0003152354.tif 000007
【図６】
0003152354.tif 000008
【図７】
0003152354.tif 000009
【図８】
0003152354.tif 000010